(57)【特許請求の範囲】
【請求項１】
外壁を構成する平板状の取付面と、この取付面の前面側に固定される外壁設備機器取付具と、この外壁設備機器取付具に取り付けられる外壁設備機器とを備えた外壁設備機器取付構造であって、
前記外壁設備機器取付具は、取付面上に固定される取付固定部を背面側に有するとともに、その取付固定部から前面側に延びた前面保持面に前記外壁設備機器が固定されることによりこれを保持する保持部を備え、
前記取付面は、保持部の周囲に位置して取付面の前面側の表面を覆うことにより前記取付面と共に外壁を構成する表面部材を備え、
前記外壁設備機器取付具の保持部とその周囲に位置する表面部材の端面との間に、取付面側に向かって水が浸入することを抑える防水手段を備えたことを特徴とする外壁設備機器取付構造。
【請求項２】
取付面は、その表裏に貫通する開口部を備え、
外壁設備機器取付具の保持部は、外壁設備機器の一部を取付面の開口部から取付面の裏面側に向かって差し込んだ状態で外壁設備機器を保持可能に形成されていることを特徴とする請求項１記載の外壁設備機器取付構造。
【請求項３】
外壁設備機器は、その前面側に位置して操作可能な前面操作部と、この前面操作部から背面側に延びる本体部とを備え、
外壁設備機器取付具の保持部は、前面操作部を保持する前面保持面と、本体部を取付面側に向かって差し込み可能な差込穴とを備え、
前記差込穴は、本体部が取付面の開口部から取付面の裏面側に向かって差込可能となるように取付面の開口部と略整合する位置に形成されていることを特徴とする請求項２記載の外壁設備機器取付構造。
【請求項４】
保持部は、取付面からの突出長さを調整するために前後方向にスライド可能なスライド機構を備えたことを特徴とする請求項１、請求項２または請求項３記載の外壁設備機器取付構造。
【請求項５】
四角枠状の外枠材と、この外枠材を挟むようにして二枚の固定される面材と、この面材の前面側から操作可能な外壁設備機器を取り付けるための外壁設備機器取付具とを備えた空間を仕切る建物躯体の外壁を構成する建築パネルであって、
前記外壁設備機器取付具は、面材の前面側に固定される取付固定部を背面側に有するとともに、その取付固定部から前面側に延びた前面保持面に前記外壁設備機器が固定されることによりこれを保持する保持部を備え、
前記面材は、保持部の周囲に位置して面材の前面側の表面を覆うことにより前記面材と共に外壁を構成する表面部材を備え、
前記外壁設備機器取付具の保持部とその周囲に位置する表面部材の端面との間に、面材側に向かって水が浸入することを抑える防水手段を備えたことを特徴とする建築パネル。
【請求項６】
外壁を構成する平面状の取付面の前面側に外壁設備機器を取り付けるための外壁設備機器取付具であって、
外壁設備機器取付具は、取付面の表面に固定される取付固定部を背面側に有するとともに、その取付固定部から前面側に延びた前面保持面に前記外壁設備機器が固定されることによりこれを保持する保持部を備え、
前記取付面は、保持部の周囲に位置して取付面の前面側を覆うことにより前記取付面と共に外壁を構成する表面部材を備え、
前記外壁設備機器取付具の保持部は、表面部材の端面との間に取付面側に向かって水が浸入することを抑える防水手段を備えたことを特徴とする外壁設備機器取付具。
【発明の詳細な説明】
【０００１】
【発明の属する技術分野】
この発明は、外壁を構成する取付面に外壁設備機器を取り付けるための外壁設備機器取付具、この外壁設備機器取付具を用いた建築パネル、及び外壁設備機器取付構造に関する。
【０００２】
【先行技術】
従来、玄関ドア等の周囲の外壁の表面には、玄関ベルや、インターホンの玄関子機や、電気錠のための電気錠操作装置等、各種の外壁設備機器が固定されていた。以下に、従来の外壁設備機器として電気錠の施錠や解錠を操作することができる電気錠操作装置を使用した場合の取付構造について説明する。
【０００３】
図６は、従来の外壁設備機器を外壁表面に取り付けた状態を示す縦断面図である。なお、この電気錠は、近年、普及してきたものである。これは、従来、通常の玄関ドアには、金物からなる錠が取り付けられており、その錠の施錠及び解錠をするためには、錠毎に特有の形状に加工された金物からなる棒状の鍵を使用していた。しかし、利用する人の全てが鍵を所有しなければならないため、鍵を所有せずに錠の施錠及び解錠が可能な電気錠が一部に普及しているものである。具体的には、この電気錠は、例えば８桁等の暗証番号を錠毎に設定し、その暗証番号を玄関に隣接する外壁に設置されたテンキーを有する外壁設備機器320から入力することにより鍵の施錠や解錠を可能なものとするものである。
【０００４】
この外壁は、建物躯体を形成する壁パネルの面材360と、この面材360の室外側の表面に横方向に固定された木質からなる胴縁366と、この胴縁366の室外側に固定されたサイディング370とを備えている。そして、このサイディング370には、表裏に開口するサイディング開口部373が形成され、外壁設備機器320の一部が、その内部に入り込んだ状態でサイディング370の表面に固定されている。
【０００５】
更に、具体的には、外壁設備機器320は、テンキーを前面に有して電気錠の開閉をテンキーの操作により操作可能な前面操作部322と、この前面操作部322から建物躯体側に向かって延びる全体形状がボックス状の本体部323とを備えている。この本体部323がサイディング開口部373から建物躯体側に向かって入り込んだ状態で、前面操作部322がサイディング370の表面に固定ネジ325により固定されている。そして、本体部323は、電気錠を施錠及び解錠可能な電気信号を電気錠に送るための付属コード324を備えており、この付属コード324は面材360に開口する開口部361から建物躯体の内部に引き込まれている。
【０００６】
そして、この外壁設備機器320の周囲から雨水が建物躯体の内部に浸入するのを抑えるために、外壁設備機器320の周囲のサイディング370と外壁設備機器320との間に隙間なく充填されたコーキング371により防水処理が施されていた。
【０００７】
【発明が解決しようとする課題】
しかし、上記した従来の外壁設備機器330は、サイディング370の表面に凹凸が形成されていると、サイディング370と、外壁設備機器330との密着が不十分となって、強固な固定が難しいという第一の問題点があった。
更に、サイディング370の表面に凹凸が形成されると、両者の間に隙間が発生し易く、その隙間から水が建物躯体側に向かって浸入し易いという第二の問題点があった。
【０００８】
また、従来の外壁設備機器330は、サイディング370の表面に直接、固定していため、サイディング370がセラミック等から形成されていると、固定用の穴を形成することが容易ではないという第三の問題点があった。
また、外壁設備機器320をサイディング370の表面に固定するため、外壁設備機器320がサイディング370の表面より突出することとなって、邪魔になるとともに外壁の外観を損なうという第四の問題点があった。
【０００９】
また、建築パネルと、外壁設備機器取付具とを別々に搬送して、各現場施工において、外壁設備機器取付具を建築パネルに固定する作業は、部品数が多くなって管理が手間であり、組立作業も手間であるという第五の問題点があった。
また、予め建築パネルに外壁設備機器を固定した状態で、搬送しようとすると、この外壁設備機器はサイディングに固定するため、持ち運び可能な重量との関係により建築パネルの面材の表面にサイディングを形成することができないときは、予め建築パネルに外壁設備機器を形成することはできないという第六の問題点があった。
【００１０】
また、予め建築パネルに外壁設備機器を固定することができるような場合であっても、外壁設備機器が突出しているため、その突出する部分や周囲部材を保護するための保護カバーを形成したり、搬送時に建築パネルを積み重ねる際に注意が必要となる等、搬送作業も容易ではないという第七の問題点があった。
そこで、請求項１記載の発明は、上記した従来の技術の有する第一乃至第四の問題点に鑑みてなされたものであり、外壁を構成する表面部材の表面形状に影響されることなく、外壁設備機器を強固に固定することができ、耐水性が良好で、組立も容易で現場作業を容易にすることができる外壁設備機器取付構造を提供しようとするものである。
【００１１】
これに加え、請求項２記載の発明は、外壁設備機器の操作側の前面が、外壁を構成する取付面の表面から突出するのを抑え、邪魔になることもなく、取付面の外観を良好なものにすることができる外壁設備機器取付構造を提供しようとするものである。
これに加え、請求項３記載の発明は、外壁設備機器取付具の保持部に差込穴を形成したことにより、本体部を取付面の開口部から取付面の裏面側に向かって差し込むことができて、取付面の表面から外壁設備機器が突出せずに取付面の外観を良好なものにすることができる外壁設備機器取付構造を提供しようとするものである。
【００１２】
これに加え、請求項４記載の発明は、外壁を構成する取付面からの突出長さを調整することができて、表面部材であるサイディングの厚さが異なるものにも対応することができる外壁設備機器取付構造を提供しようとするものである。
請求項５記載の発明は、上記した従来の技術の有する第一乃至第七の問題点に鑑みてなされたものであり、その目的とするところは、外壁設備機器を強固に固定可能で、耐水性、加工性を向上させ、外壁設備機器が外壁から突出するのを抑えて外観を良好にし、予め工場において組み立てることができて、搬送作業を容易にすることができる建築パネルを提供しようとするものである。
【００１３】
請求項６記載の発明は、上記した従来の技術の有する第一乃至第四の問題点に鑑みてなされたものであり、その目的とするところは、外壁設備機器を強固に固定可能で、耐水性、加工性を向上させ、外壁設備機器が外壁から突出するのを抑えて外観を良好にし、予め工場において組み立てることができて、搬送作業を容易にすることができる外壁設備機器取付具を提供しようとするものである。
【００１４】
【課題を解決するための手段】
本発明は、上記した目的を達成するためのものである。
（請求項１）
請求項１記載の発明は、外壁を構成する平板状の取付面(60)と、この取付面(60)の前面側に固定される外壁設備機器取付具(30)と、この外壁設備機器取付具(30)に取り付けられる外壁設備機器(20)とを備えた外壁設備機器取付構造であって、前記外壁設備機器取付具(30)は、取付面(60)上に固定される取付固定部(32)を背面側に有するとともに、その取付固定部(32)から前面側に延びた前面保持面(42)に前記外壁設備機器(20)が固定されることによりこれを保持する保持部(40)を備え、前記取付面(60)は、保持部(40)の周囲に位置して取付面(60)の前面側の表面を覆うことにより前記取付面(60)と共に外壁を構成する表面部材(70)を備え、前記外壁設備機器取付具(30)の保持部(40)とその周囲に位置する表面部材(70)の端面との間に、取付面(60)側に向かって水が浸入することを抑える防水手段（例えばコーキング71）を備えたことを特徴とする。
【００１５】
なお、ここで、「外壁設備機器(20)」とは、建物躯体の外壁表面に取り付ける電気機器等であって、例えば、インターホンの玄関子機、玄関ベル用の押しボタン、又は玄関ドア用の電気錠を操作する電気錠操作装置等を含むものである。この「電気錠」とは、ドア等に取り付けられた錠の施錠や解錠を電気信号により行うことができるものである。そして、電気錠の外壁設備機器(20)である電気錠操作装置は、その前面に設けたテンキー等からの入力により、この電気錠の施錠や解錠をするための電気信号を発生させ、電気錠に送ることができるものである。
【００１６】
そして、かかる「保持部(40)」及び「取付固定部(32)」からなる「外壁設備機器取付具(30)」は、上述したように外壁設備機器(20)を保持した状態で取付面(60)に固定されるものであれば良いものであって、全体形状は特定の形状に限定されるものではない。例えば、全体形状がボックス状であって、外壁設備機器(20)を内部に差し込んで保持可能な差込穴(41)を有しているものでも良い。また、全体形状がボックス状でなくても、縦断面形状がクランク状の上下に２個、配置される部材であって、外壁設備機器(20)の上端面及び下端面を上下から挟み込むような状態で外壁設備機器(20)を保持可能なものでも良いものである。或いは、外壁設備機器(20)の四隅の角部を保持可能な正面から見た形状がＬ字状のＬ字状角部保持部材を四個、電気錠操作装置(20)の角部に配置して、電気錠操作装置(20)を上述したような状態で保持可能のものでも良いものである。
【００１７】
なお、ここで、「防水手段(90)」は、表面部材(70)と保持部(40)との間に位置することにより両部材間から水の浸入を抑えることができるものであって、例えば、両方の部材間に隙間無く充填されるコーキング(71)や、両方の部材の間で弾性変形することにより隙間なく密着することができるゴム状の防水部材や、防水テープ(82)等を含むものである。
【００１８】
本発明によれば、外壁設備機器(20)を表面部材(70)に直接、固定することなく、外壁設備機器取付具(30)を介して取付面(60)に固定している。このため、表面部材(70)の表面形状に左右されることなく、外壁設備機器(20)を取り付けることができて、強固な固定を可能にするとともに現場施工における取付作業を容易にすることができる。
また、外壁設備機器(20)を表面部材(70)の表面に固定しないため、外壁設備機器(20)を表面部材(70)よりも表面部材(70)側に位置させることができて、外壁設備機器(20)を外壁から突出するのを抑えることができ、外壁の外観を良好なものにすることができる。
【００１９】
また、防水手段(90)が、表面部材(70)の端面と保持部(40)との間に形成されている。このため、表面部材(70)の前面側の表面が凹凸状の表面形状を有するものであっても、表面部材(70)の端面は、前面側の表面形状に左右されることなく凹凸がない面を形成することができる。これにより、表面部材(70)の端面と保持部(40)との間に隙間無く、防水手段を形成することが可能となり、外壁設備機器(20)の前面側から取付面(60)の裏面側に向かって水が浸入することを抑えることができ、外壁設備機器取付具(30)の防水性を良好なものにすることができる。
【００２０】
（請求項２）
請求項２記載の発明は、上記した請求項１記載の特徴点に加えて、取付面(60)は、その表裏に貫通する開口部(61)を備え、外壁設備機器取付具(30)の保持部(40)は、外壁設備機器(20)の一部を取付面(60)の開口部(61)から取付面(60)の裏面側に向かって差し込んだ状態で外壁設備機器(20)を保持可能に形成されていることを特徴とする。
【００２１】
なお、ここで、「保持部(40)」が「外壁設備機器(20)の一部を取付面(60)の開口部(61)から取付面(60)の裏面側に向かって差し込んだ状態で、外壁設備機器(20)を保持可能」とは、例えば、外壁設備機器(20)の一部が取付面(60)の開口部(61)から取付面(60)の裏面側に入り込み、外壁設備機器(20)の他の一部が開口部(61)から僅かに取付面(60)の前面側に現れているような状態を含むものである。
【００２２】
本発明によれば、外壁設備機器取付具(30)の保持部(40)が、外壁設備機器(20)の一部を取付面(60)の開口部(61)から取付面(60)の裏面側に向かって差し込んだ状態で外壁設備機器(20)を保持している。そして、外壁設備機器(20)は表面部材(70)に固定していないため、外壁設備機器(20)を取付面(60)の裏面側に向かって潜り込ませた状態で保持することができ、外壁設備機器(20)の操作側の前面を取付面(60)から突出するのを抑えることができる。これにより、取付面(60)の表面から外壁設備機器(20)が突出して邪魔になることもなく、外壁の外観を良好なものにすることができる。
【００２３】
（請求項３）
請求項３記載の発明によれば、上記した請求項１記載の特徴点に加え、外壁設備機器(20)は、その前面側に位置して操作可能な前面操作部(22)と、この前面操作部(22)から背面側に延びる本体部(23)とを備え、外壁設備機器取付具(30)の保持部(40)は、前面操作部(22)を保持する前面保持面(42)と、本体部(23)を取付面(60)側に向かって差し込み可能な差込穴(41)とを備え、前記差込穴(41)は、本体部(23)が取付面(60)の開口部(61)から取付面(60)の裏面側に向かって差込可能となるように取付面(60)の開口部(61)と略整合する位置に形成されていることを特徴とする。
【００２４】
なお、ここで、「差込穴(41)」が「取付面(60)の開口部(61)と略整合する」とは、「差込穴(41)」と「開口部(61)」とを取付面(60)の正面側から見た場合に、両者が略重なってしまうような位置関係にあることを意味するものである。
本発明によれば、保持部(40)に取付面(60)の開口部(61)と略整合する差込穴(41)を形成している。このため、外壁設備機器(20)の本体部(23)を外壁設備機器取付具(30)の差込穴(41)から取付面(60)側に向かって入れると、本体部(23)を取付面(60)の開口部(61)から取付面(60)の裏面側に向かって差し込むことができる。これにより、本体部(23)の一部を取付面(60)の裏面側に収納することができて、取付面(60)から外壁設備機器(20)がその前面側に向かって突出せずに取付面(60)の外観を良好なものにすることができる。
【００２５】
（請求項４）
請求項４記載の発明は、上記した請求項１、請求項２または請求項３記載の特徴点に加え、保持部(40)は、取付面(60)からの突出長さを調整するために前後方向にスライド可能なスライド機構(50)を備えたことを特徴とする。
なお、ここで、「スライド機構(50)」とは、例えば、保持部(40)が、取付固定部(32)と連続する本体部(51)と、この本体部(51)から前後方向にスライドするスライド部(52)との二部材から形成されているようなものを含むものである。具体的には、スライド機構(50)は、保持部(40)の本体部(32)に形成された前後方向に長い本体部用長穴(54)と、スライド部(52)に形成された前後方向に長いスライド部用長穴(53)と、この両長穴(53,54)を貫通するボルト(55)と、このボルト(55)にねじ込まれて本体部(32)及びスライド部(52)を挟み込んで固定する喋ナット(56)とを備えたものを含むものである。
【００２６】
本発明によれば、保持部(40)が、前後方向にスライド可能なスライド機構(50)を備えているため、保持部(40)の取付面(60)からの突出長さを任意の位置に調整することができる。これにより、表面部材(70)の厚さが異なる種類のものに対しても、それに合わせて保持部(40)の前後方向の位置を調整することができ、厚さが異なる表面部材(70)の種類の変化にも容易に対応することができる。
【００２７】
（請求項５）
請求項５記載の発明は、四角枠状の外枠材と、この外枠材を挟むようにして二枚の固定される面材(60)と、この面材(60)の前面側から操作可能な外壁設備機器(20)を取り付けるための外壁設備機器取付具(30)とを備えた空間を仕切る建物躯体の外壁を構成する建築パネル(65)であって、前記外壁設備機器取付具(30)は、面材(60)の前面側に固定される取付固定部(32)を背面側に有するとともに、その取付固定部(32)から前面側に延びた前面保持面(42)に前記外壁設備機器(20)が固定されることによりこれを保持する保持部(40)を備え、面材(60)は、保持部(40)の周囲に位置して面材(60)の前面側の表面を覆うことにより前記面材(60)と共に外壁を構成する表面部材(70)を備え、前記外壁設備機器取付具(30)の保持部(40)とその周囲に位置する表面部材(70)の端面との間に、面材(60)側に向かって水が浸入することを抑える防水手段(90)を備えたことを特徴とする。
【００２８】
なお、この建築パネル(65)は、外壁設備機器(20)を取り付けるため、玄関に隣接する壁パネル等に利用されるものであるが、使用可能な建築パネル(65)は、特に玄関に隣接する外壁用の壁パネルに限定されるものではなく、フラットな取付面を有するパネル状のものであれば、他のパネル等でも良いものである。例えば、建物躯体の内部において、室内ドアに取り付ける電気錠用として、室内の空間を仕切るための壁パネルに固定することもでき、また、床下収納庫の開閉部に取り付ける電気錠用として床パネルに固定することもでき、さらに、天井収納部の開閉部に取り付ける電気錠用として天井パネル等に固定することもできるものである。
【００２９】
本発明に係る建築パネル(65)は、予め外壁設備機器取付具(30)を面材(60)に固定している。このため、工場において、一括して安定した品質管理の下、熟練した者が取付作業をすることができ、良好な取付状態のものを得ることができる。また、予め工場において、外壁設備機器取付具(30)の取付作業が完了するため、現場施工を容易なものにすることができる。
【００３０】
そして、外壁設備機器取付具(30)の保持部(40)が、外壁設備機器(20)の一部を面材(60)の開口部(61)から面材(60)の裏面側に向かって差し込んだ状態で外壁設備機器(20)を保持している。すなわち、保持部(40)及び取付固定部(32)により、外壁設備機器(20)を開口部(61)から面材(60)の裏面側に差し込んだ状態に固定することができ、外壁設備機器(20)の操作側の前面を面材(60)から前面側に突出するのを抑えることができる。これにより、面材(60)の表面から外壁設備機器(20)が前面側に突出して邪魔になることもなく、外壁の外観を良好なものにすることができる。さらに、外壁設備機器(20)が面材(60)から突出するのを抑えることができるため、建築パネル(65)を組立現場に搬送する際にも、外壁設備機器取付具(30)が邪魔にならず、建築パネル(65)の積み重ね作業等も容易にすることができ、搬送作業を容易なものにすることができる。
【００３１】
（請求項６）
請求項６記載の発明は、外壁を構成する平面状の取付面(60)の前面側に外壁設備機器(20)を取り付けるための外壁設備機器取付具(30)であって、外壁設備機器取付具(30)は、取付面(60)の表面に固定される取付固定部(32)を背面側に有するとともに、その取付固定部(32)から前面側に延びた前面保持面(42)に前記外壁設備機器(20)が固定されることによりこれを保持する保持部(40)を備え、前記取付面(60)は、保持部(40)の周囲に位置して取付面(60)の前面側を覆うことにより前記取付面(60)と共に外壁を構成する表面部材(70)を備え、前記外壁設備機器取付具(30)の保持部(40)は、表面部材(70)の端面との間に取付面(60)側に向かって水が浸入することを抑える防水手段(90)を備えたことを特徴とする。
【００３２】
本発明によれば、外壁設備機器取付具(30)の保持部(40)が、外壁設備機器(20)の一部を取付面(60)の開口部(61)から取付面(60)の裏面側に向かって差し込んだ状態で外壁設備機器(20)を保持している。すなわち、保持部(40)及び取付固定部(32)により、外壁設備機器(20)を開口部(61)から取付面(60)の裏面側に差し込んだ状態に固定することができ、外壁設備機器(20)の操作側の前面を取付面(60)から突出するのを抑えることができる。これにより、取付面(60)の表面から外壁設備機器(20)が突出して邪魔になることもなく、外壁の外観を良好なものにすることができる。
【００３３】
【発明の実施の形態】
以下、本発明の実施の形態を図面に基づいて、更に詳しく説明する。
図１乃至図３は、本発明の第１の実施の形態であって、図１は外壁設備機器を外壁に取り付けた状態の縦断面図、図２は外壁設備機器の前面蓋部を開いた状態の正面図、図３は外壁設備機器を建築パネルに固定する状態の組立斜視図をそれぞれ示すものである。
【００３４】
まず、本実施の形態の構成について説明する。
本実施の形態に係る外壁設備機器取付具30は、全体形状がボックス状であって、玄関ドアに隣接する建築パネル65の面材60に外壁設備機器20を取り付けるためのものである。前記建築パネル65は、四角枠状の外枠材と、この外枠材を挟むようにして二枚の固定される面材60とを備えることによって室内外を仕切る建物躯体となるものである。この建築パネル65は、室外側に面する面材60の表裏に貫通する方形状の開口部61を備えている。なお、この開口部61は、建築パネル65を立設させたときに室外側の人の胸あたりの高さの位置となるように設定されている。
【００３５】
前記外壁設備機器20は、玄関ドアに取り付けられた電気錠の施錠や解錠を外部から操作することができるものである。そして、この外壁設備機器20は、その前面側に位置して操作可能な前面操作部22と、この前面操作部22から裏面側に延びる本体部23とを備えている。前記前面操作部22は、その前面側の表面に「０」乃至「９」の１０種類の数値を入力することができるテンキー26と、その前面側を覆うことができるとともにその上端に回転軸を有して前面側から開閉可能な前面蓋部21とを備えている。そして、この前面操作部22は、上下２本の固定ネジ25により外壁設備機器取付具30の前面保持面42に固定されている。前記本体部23は、特に図示しないが前面操作部22のテンキー26により入力された暗証番号により電気錠の開閉作動を判断する制御部と、この制御部により玄関ドアの電気錠の施錠や解錠の作動を制御する制御信号を電気錠に送るための付属コード24とを備えている。
【００３６】
前記外壁設備機器取付具30は、建築パネル65の開口部61の周縁の面材60に固定される取付固定部32と、その取付固定部32と連続するとともに外壁設備機器20の本体部23の一部を面材60の開口部61から面材60の裏面側に向かって差し込んだ状態で外壁設備機器20を保持する保持部40とを備えている。前記取付固定部32は、開口部61の周縁の面材60に沿って平行に位置しており、取付ネジ31により面材60に固定されている。前記保持部40は、外壁設備機器20の前面操作部22の裏面側を保持する前面保持面42と、本体部23を面材60側に向かって差し込み可能な差込穴41とを備えている。この差込穴41は、外壁設備機器20の本体部23が面材60の開口部61から面材60の裏面側に向かって差込可能となるように面材60の開口部61と略整合する位置に形成されている。
【００３７】
そして、面材60の室外側の表面には、木質からなる胴縁66が釘等により固定されており、その胴縁66の前面側には、外壁の外観を形成するセラミック等からなるサイディング70が形成されている。また、外壁設備機器取付具30は、前面側から面材60の裏面側に向かって水が浸入することを抑える防水手段90を備えている。この防水手段90は、外壁設備機器取付具30の前面保持面42と外壁設備機器20の前面操作部22との間に位置する前面側防水部91と、外壁設備機器取付具30の取付固定部32と建築パネル65の面材60との間に位置する取付面側防水部92と、外壁設備機器取付具30とその周囲に形成されるサイディング70との間に位置する周縁防水部93とを備えている。具体的には、前記前面側防水部91及び取付面側防水部92は、両面テープからなる防水テープ82が使用されている。そして、周縁防水部93は、サイディング70の端面と外壁設備機器20との隙間に充填されたコーキング71から形成されている。なお、このコーキング71は、裏面側からチューブ状のバックアップ材72により支持されている。
【００３８】
次に、上記した実施の形態の作用及び効果について説明する。
本実施の形態によれば、外壁設備機器20をサイディング70に直接、固定することなく、外壁設備機器取付具30を介して取付面60に固定している。このため、サイディング70の表面形状に左右されることなく、外壁設備機器20を取り付けることができて、強固な固定を可能にするとともに現場施工における取付作業を容易にすることができる。また、外壁設備機器20をサイディング70の表面に固定しないため、外壁設備機器20をサイディング70よりもサイディング70側に位置させることができて、外壁設備機器20を外壁から突出するのを抑えることができ、外壁の外観を良好なものにすることができる。
【００３９】
また、防水手段90が、サイディング70の端面と保持部40との間に形成されている。このため、サイディング70の前面側の表面が凹凸状の表面形状を有するものであっても、サイディング70の端面は、前面側の表面形状に左右されることなく凹凸がない面を形成することができる。これにより、サイディング70の端面と保持部40との間に隙間無く、防水手段を形成することが可能となり、外壁設備機器20の前面側から取付面60の裏面側に向かって水が浸入することを抑えることができ、外壁設備機器取付具30の防水性を良好なものにすることができる。
【００４０】
そして、本実施の形態では、外壁設備機器取付具30の保持部40が、外壁設備機器20の本体部23を面材60の開口部61から面材60の裏面側に向かって差し込んだ状態で保持している。すなわち、保持部40及び取付固定部32により、外壁設備機器20を開口部61から面材60の裏面側に差し込んだ状態に固定することができ、外壁設備機器20の操作側の前面を面材60から突出するのを抑えることができる。これにより、面材60の表面から外壁設備機器20が突出して邪魔になることもなく、外壁の外観を良好なものにすることができる。
【００４１】
また、本実施の形態では、保持部40に面材60の開口部61と略整合する差込穴41を形成している。このため、外壁設備機器20の本体部23を外壁設備機器取付具30の差込穴41から面材60側に向かって入れると、本体部23を面材60の開口部61から面材60の裏面側に向かって差し込むことができる。これにより、本体部23の一部を面材60の裏面側に差し込んだ状態で面材60の裏面側に収納することができて、外壁設備機器20の操作側の前面を面材60から突出するのを抑えることができる。これにより、面材60の表面から外壁設備機器20が突出して邪魔になることもなく、外壁の外観を良好なものにすることができる。
【００４２】
また、前面側防水部91、取付面側防水部92及び周縁防水部93からなる防水手段90を備えているため、外壁設備機器取付具30の前面側から面材60の裏面側に向かって水が浸入することを抑えることができ、外壁設備機器取付具30の防水性を良好なものにすることができる。本実施の形態に係る建築パネルは、予め外壁設備機器取付具30を工場の出荷段階で面材60に固定している。このため、工場において、一括して安定した品質管理の下、熟練した者が取付作業をすることができ、良好な取付状態のものを得ることができる。また、予め工場において、外壁設備機器取付具30の取付作業が完了するため、現場施工を容易なものにすることができる。
【００４３】
次に、本発明の第二の実施の形態について説明する。
図４は、本発明の第二の実施の形態であって、外壁設備機器を外壁に取り付けた状態の縦断面図を示すものである。
本実施の形態においては、第一の実施の形態のような面材60に開口部61を形成せずに、付属コード24を引き出すためのコード引出用穴67のみを形成して、面材60の室外側に外壁設備機器20を設置するようにしたものである。そして、外壁設備機器取付具30は、本体部23を面材60の室外側に配置するために第一の実施の形態における外壁設備機器取付具30よりも室外側に突出したような形状に形成されている。なお、防水手段90は、サイディング70と保持部40との間に形成されたコーキング71のみを使用しているが、第一の実施の形態で示したような取付固定部32と面材60との間の防水テープ81による取付面側防水部92や、保持部40と外壁設備機器20との間の防水テープ82による前面側防水部91を使用しても良いものである。
その他の構成は、第一の実施の形態とほぼ同様であって、同様の部材には同一の部品番号を付与して説明を省略する。
【００４４】
本実施の形態は、面材60に開口部61を形成する手間を省き、開口部61からの水の浸入を抑えて防水性を担保するものである。
次に、本発明の第三の実施の形態について説明する。
図５は、本発明の第三の実施の形態であって、外壁設備機器を外壁に取り付けた状態の一部縦断面図を示すものである。
【００４５】
本実施の形態は、外壁設備機器取付具30の保持部40が、前後方向にスライド可能なスライド機構50を備えていることを特徴とするものである。具体的には、保持部40は、取付固定部32から延びる保持部本体部51と、この保持部本体部51に対して前後方向にスライド可能であるとともに外壁設備機器20を保持するスライド部52との二部材から構成されている。そして、保持部本体部51は、前後方向に長手方向を有する本体部用長穴54を備え、スライド部52は、前後方向に長手方向を有するスライド部用長穴53を備えている。そして、この本体部用長穴54及びスライド部用長穴53には、ボルト55が両者を貫通し、このボルト55には、保持部本体部51及びスライド部52を固定するための喋ナット56がねじ込まれている。
なお、その他の構成は、第一の実施の形態とほぼ同様であって、同様の部材には同一の部品番号を付与して説明を省略する。
【００４６】
本実施の形態は、保持部40が、前後方向にスライド可能なスライド機構50を備えているため、保持部40の取付面60からの突出長さを任意の位置に調整することができる。これにより、サイディング70の厚さが異なる種類のものに対しても、それに合わせて保持部40の前後方向の位置を調整することができ、厚さが異なるサイディング70の種類の変化にも容易に対応することができる。
【００４７】
【発明の効果】
本発明は、以上のように構成されているので、以下に記載されるような効果を奏する。
請求項１記載の発明によれば、表面部材の表面形状に影響されることなく、外壁設備機器を強固に固定することができ、耐水性が良好で、組立も容易で現場作業を容易にすることができる外壁設備機器取付構造を提供することができる。
【００４８】
請求項２記載の発明によれば、取付面の表面から突出せずに邪魔になることもなく、取付面の外観を良好なものにすることができる外壁設備機器取付構造を提供することができる。
請求項３記載の発明によれば、保持部に差込穴を形成したことにより、本体部を取付面の開口部から取付面の裏面側に向かって差し込むことができて、取付面の表面から外壁設備機器が突出せずに取付面の外観を良好なものにすることができる外壁設備機器取付構造を提供することができる。
【００４９】
請求項４記載の発明によれば、取付面からの突出長さを調整することができて、表面部材であるサイディングの厚さが異なるものにも対応することができる外壁設備機器取付構造を提供することができる。
請求項５記載の発明によれば、外壁設備機器を強固に固定可能で、耐水性、加工性を向上させ、外壁設備機器が外壁から突出するのを抑えて外観を良好にし、予め工場において組み立てることができて、搬送作業を容易にすることができる建築パネルを提供することができる。
【００５０】
請求項６記載の発明によれば、外壁設備機器を強固に固定可能で、耐水性、加工性を向上させ、外壁設備機器が外壁から突出するのを抑えて外観を良好にし、予め工場において組み立てることができて、搬送作業を容易にすることができる外壁設備機器取付具を提供することができる。
【図面の簡単な説明】
【図１】  本発明の第１の実施の形態を示すものであり、外壁設備機器を外壁に取り付けた状態を示す縦断面図である。
【図２】  本発明の第１の実施の形態を示すものであり、外壁設備機器の前面蓋部を開いた状態を示す正面図である。
【図３】  本発明の第１の実施の形態を示すものであり、外壁設備機器を建築パネルに固定する状態を示す組立斜視図である。
【図４】  本発明の第２の実施の形態を示すものであり、外壁設備機器を外壁に取り付けた状態を示す縦断面図である。
【図５】  本発明の第３の実施の形態を示すものであり、外壁設備機器を外壁に取り付けた状態を示す一部縦断面図である。
【図６】  従来の外壁設備機器を外壁に取り付けた状態を示す縦断面図である。
【符号の説明】
20…外壁設備機器、21…前面蓋部、22…前面操作部、23…本体部、24…付属コード、25…固定ネジ、26…テンキー、30…外壁設備機器取付具、31…取付ネジ、32…取付固定部、40…保持部、41…差込穴、42…前面保持面、50…スライド機構、51…保持部本体部、52…スライド部、53…スライド部用長穴、54…本体部用長穴、55…ボルト、56…喋ナット、60…面材、61…開口部、65…建築パネル、66…胴縁、67…コード引出用穴、70…サイディング、71…コーキング、72…バックアップ材、81…防水テープ、82…防水テープ、90…防水手段、91…前面側防水部、92…取付面側防水部、93…周縁防水部、320…外壁設備機器、322…前面操作部、323…本体部、324…付属コード、325…固定ネジ、361…開口部、366…胴縁、370…サイディング、371…コーキング、373…サイディング開口部。
【図１】
0003955348.tif 000002
【図２】
0003955348.tif 000003
【図３】
0003955348.tif 000004
【図４】
0003955348.tif 000005
【図５】
0003955348.tif 000006
【図６】
0003955348.tif 000007